(57)【要約】【課題】検索キーワードを受け付けずにユーザの関心に即した広告を表示する電話機【解決手段】第１計算機に接続される電話機であって、通話の音声情報を文字情報に変換し、当該変換した文字情報からユーザの関心を表すキーワードを特定し、当該特定したキーワードに関連する広告を第１計算機から取得し、当該取得した広告を表示する【選択図】図１
2011082774.tif 000002
【特許請求の範囲】
【請求項１】
第１計算機に接続される電話機であって、
通話の音声情報を文字情報に変換し、
当該変換した文字情報からユーザの関心を表すキーワードを特定し、
当該特定したキーワードに関連する広告を第１計算機から取得し、
当該取得した広告を表示することを特徴とする電話機。
【請求項２】
前記取得した広告を、電話の切断を契機に表示することを特徴とする請求項１に記載の電話機。
【請求項３】
一定時間ごとに、
通話の音声情報を文字情報に変換し、
当該変換した文字情報からユーザの関心を表すキーワードを特定し、
当該特定したキーワードに関連する広告を第１計算機から取得しすることを特徴とする請求項１又は２に記載の電話機。
【請求項４】
第１計算機から取得した広告のうち、最後に取得した広告を表示することを特徴とする請求項３に記載の電話機。
【請求項５】
電話機のユーザの音声情報と通話先の音声情報とを区別して、ユーザの関心を表すキーワードを特定することを特徴とする請求項１〜４のいずれかに記載の電話機。
【請求項６】
第１計算機に接続される電話機であって、
通話の音声情報を文字情報に変換し、
当該変換した文字情報から、会話の内容を示す情報を特定し、
当該特定した情報に関連する広告を第１計算機から取得し、
当該取得した広告を表示することを特徴とする電話機。
【請求項７】
前記取得した広告を、電話の切断を契機に表示することを特徴とする請求項６に記載の電話機。
【請求項８】
一定時間ごとに、
通話の音声情報を文字情報に変換し、
当該変換した文字情報から会話の内容を示す情報を特定し、
当該特定した情報に関連する広告を第１計算機から取得しすることを特徴とする請求項６又は７に記載の電話機。
【請求項９】
第１計算機から取得した広告のうち、最後に取得した広告を表示することを特徴とする請求項３に記載の電話機。
【請求項１０】
電話機のユーザの音声情報と通話先の音声情報とを区別して、ユーザの関心を表すキーワードを特定することを特徴とする請求項６〜９のいずれかに記載の電話機。
【発明の詳細な説明】
【技術分野】
【０００１】
本発明は、インターネット接続機能を備える電話機に関する。
【背景技術】
【０００２】
特許文献１には、ユーザの検索操作が簡単で、かつ広告のアピール度を高くする技術が開示されている。
【特許文献１】特開２００１−２８３０９９号公報
【発明の開示】
【発明が解決しようとする課題】
【０００３】
しかしながら、電話機は、ユーザから検索キーワードを受け付けない限り、ユーザの関心に即した広告を表示できない問題がある。本発明は、前述した問題点を解決する技術を提供することを目的とする。
【課題を解決するための手段】
【０００４】
本発明の代表的な形態は、第１計算機に接続される電話機であって、通話の音声情報を文字情報に変換し、当該変換した文字情報からユーザの関心を表すキーワードを特定し、当該特定したキーワードに関連する広告を第１計算機から取得し、当該取得した広告を表示することを特徴とする。
【発明の効果】
【０００５】
本発明の代表的な形態によれば、電話機は、ユーザから検索キーワードを受け付けなくても、ユーザの関心に即した広告を表示することができる。
【発明を実施するための最良の形態】
【０００６】
本発明の実施の形態を図面を参照して説明する。
【０００７】
（実施の形態）
図１は、本発明の実施の形態の計算機システムの構成のブロック図である。計算機システムは、電話機１、管理計算機３、公衆交換電話回線網４及びインターネット５を備える。電話機１及び管理計算機３は、インターネット５を介して相互に接続される。ただし、電話機１と管理計算機３とは、インターネット５ではなく、別の方法で接続されていてもよい。また、電話機１は、公衆交換電話回線網４にも接続される。なお、電話機１については、図２で詳細を説明する。管理計算機３は、プロセッサ、メモリ及びインタフェースを備える計算機である。例えば管理計算機３は、ＷＥＢサーバである。管理計算機３は、文字情報に関連した広告を電話機１に提供する。管理計算機３については、図３で詳細を説明する。なお、本ブロック図には、電話機１が５台図示されているが、計算機システムに電話機１がいくつ備わっていてもよい。同様に、本ブロック図には、管理計算機３が１台図示されているが、計算機システムに管理計算機３がいくつ備わっていてもよい。また、管理計算機３は、いくつかの計算機によって冗長構成されていてもよい。
【０００８】
図２は、本発明の実施の形態の計算機システムに備わる電話機１の構成のブロック図である。電話機１は、制御部１１、送受信部１２、表示部１３、入力部１４、マイク１５、スピーカ１６及びメモリ１７を備える。送受信部１２は、各種情報を送受信する。具体的には、送受信部１２は、アンテナを介して、通話及びデータ通信などを行う。表示部１３は、各種情報を表示する。入力部１４には、各種情報が入力される。マイク１５には、音及び音声が入力される。スピーカ１６は、音及び音声を出力する。制御部１１は、メモリ１７に記憶されるプログラムを実行することによって、電話機１の全体を制御する。具体的には、制御部１１は、送受信部１２、表示部１３、入力部１４、マイク１５、スピーカ１６及びメモリ１７に各種指示を行う。また、制御部１１は、入力部１４に入力された情報に応じて、各種制御を行う。メモリ１７は、制御部１１によって実行されるプログラム及び制御部１１によって必要とされる情報などを記憶する。具体的には、メモリ１７は、通常の電話機１に記憶されるプログラム及び情報に加えて、広告取得プログラム１８を記憶する。広告取得プログラム１８は、通話の音声情報を記録し、この音声情報を文字情報に変換し、文字情報からユーザの関心が高いキーワードを特定し、キーワードに関連する広告を取得する。なお、電話機１は、ダイアル発信機能及びインターネット接続機能を備えれば、いかなるものであってもよい。例えば、電話機１は、ＰＤＡ機、ＰＨＳ機、携帯電話機、固定電話機又はＩＰ電話機のいずれであってもよい。電話機１がＩＰ電話機の場合、公衆交換電話回線網４はインターネットとなる。
【０００９】
図３は、本発明の実施の形態の計算機システムに備わる管理計算機３の構成のブロック図である。管理計算機３は、プロセッサ３１、メモリ３２及びインタフェース３９を備える。インタフェース３９は、インターネット５を介して電話機１に接続される。プロセッサ３１は、メモリ３２に記憶されるプログラムを実行することによって、各種処理を行う。メモリ３２は、プロセッサ３１によって実行されるプログラム及びプロセッサ３１によって必要とされる情報などを記憶する。具体的には、メモリ３２は、広告応答プログラム３３を記憶する。広告応答プログラム３３は、電話機１から広告取得要求を受信し、広告取得要求に含まれる文字情報に関連した広告を送信する。管理計算機３は、文字情報とそれに関連する広告とを予め対応付けて、メモリ３２に記憶している。このため管理計算機３は、容易に文字情報に関連する広告を、電話機１に送信できる。管理計算機３は、例えばアドサーバーである。
【００１０】
次に、本発明の実施の形態の計算機システムの処理について説明する。図４は、本発明の実施の形態の電話機１のファイル取得処理のフローチャートである。電話機１は、通話が開始すると（Ｓ１０１）、当該処理を開始する。処理の開始契機となる通話の開始は、発信又は着信のいずれによって生じたものであってもかまわない。
【００１１】
電話機１は、通話の音声情報を記録する（Ｓ１０２）。次に、電話機１は、記録した音声情報を文字情報に変換する（Ｓ１０３）。そして、電話機１は、変換した文字情報から、ユーザの関心を表すキーワードを特定する（Ｓ１０４）。例えば、他のキーワードと比べて出現頻度の高いキーワードを、ユーザの関心を表すキーワードとして特定する。次に、電話機１は、広告取得要求を管理計算機３に送信する（Ｓ１０５）。広告取得要求は、電話機１の表示部に表示する広告の要求である。広告は、文字列、画像又は動画である。広告は、表示部に表示できるものであればいかなるものであってもよい。広告取得要求は、電話機１が特定したユーザの関心を表すキーワードを含む。広告取得要求は例えばＨＴＴＰによって送信される。プロトコルはいかなるものであってもよい。管理計算機３は、広告取得要求を受信する。すると、管理計算機３は、受信した広告取得要求からキーワードを取得し、取得したキーワードに関連する広告を電話機１に送信する。電話機１は、広告を受信する。そして、電話機１は、受信した広告を表示部に表示する（Ｓ１０６）。なお、電池を節約するために通話中の切断を契機に、取得した広告を表示部に表示してもよい。
【００１２】
電話機１は、一定時間ごとにＳ１０２〜Ｓ１０６を繰り返し実行してもよい。表示される広告が切り替わるため、電話機１は、会話の後半に特定したキーワードに関連する広告を、通話切断時に表示することができる。こうして表示される広告は、通話を終えたばかりのユーザの関心により近い。
【００１３】
電話機１は、ユーザの音声情報と通話先の音声情報を区別することができる。マイクから入力された音声情報がユーザの音声情報であり、電話回線の信号に基づいて復号した音声情報は通話先の音声情報である。こうして区別した音声情報の発信源に基づいてユーザの関心により近いキーワードを特定してもよい。例えば、ユーザが通話先に対して質問した言葉をキーワードと特定する。なお、電話機１は、ユーザの関心の高いキーワードではなくて、会話の内容を示す情報を特定してもよい。会話の内容を示す情報は、変換した文字情報から特定できるものであれば、いかなるものであってもよい。この場合、管理計算機１は、会話の内容とそれに関連する広告とを予め対応付けて、メモリ３２に記憶している。そして、すべての処理において、ユーザの関心の高いキーワードの代わりに、会話の内容を示す情報が使われる。
【００１４】
以上のように、本実施の形態によれば、電話機１は、ユーザから検索キーワードを受け付けなくても、ユーザの関心に即した広告を表示することができる。
【図面の簡単な説明】
【００１５】
【図１】本発明の実施の形態の計算機システムの構成のブロック図である。
【図２】本発明の実施の形態の計算機システムに備わる電話機の構成のブロック図である。
【図３】本発明の実施の形態の計算機システムに備わる管理計算機の構成のブロック図である。
【図４】本発明の実施の形態の電話機の処理のフローチャートである。
【符号の説明】
【００１６】
１    電話機
３    管理計算機
４    公衆交換電話回線網
５    インターネット
１１    制御部
１２    送受信部
１３    表示部
１４    入力部
１５    マイク
１６    スピーカ
１７    メモリ
１８    広告取得プログラム
３１    プロセッサ
３２    メモリ
３３    広告応答プログラム
３９    インタフェース
【図１】
2011082774.tif 000003
【図２】
2011082774.tif 000004
【図３】
2011082774.tif 000005
【図４】
2011082774.tif 000006